(57)【要約】【課題】デジタル放送受信機において通信の伝送遅延がある場合でも、ユーザの視聴時に放送コンテンツと通信コンテンツとを同期して出力すること。【解決手段】コンテンツ録画・再生装置（６）は、放送信号に含まれる放送コンテンツと通信コンテンツアクセス情報（４２）とを放送コンテンツ記憶部（１４）に保存する放送コンテンツ記録制御部（１３）と、放送コンテンツ記憶部（１４）に保存された通信コンテンツアクセス情報（４２）に基づいて、通信コンテンツを通信ネットワーク（４）からダウンロードして通信コンテンツ記憶部（２１）に保存する通信コンテンツ取得制御部（１９）と、放送コンテンツ記憶部（１４）に保存された放送コンテンツを再生するときに、通信コンテンツ記憶部（２１）に保存された通信コンテンツを読み出し、放送コンテンツと同期をとって出力装置（７）に出力するコンテンツ再生部（１５）と、を具備する。【選択図】図２
2015026920.tif 000002
【特許請求の範囲】
【請求項１】
放送コンテンツと、前記放送コンテンツと連携する通信コンテンツをダウンロードするための通信コンテンツアクセス情報とを含む放送信号を放送波により受信する放送波受信部と、
放送コンテンツ記憶部と、
前記放送信号に含まれる前記放送コンテンツと前記通信コンテンツアクセス情報とを前記放送コンテンツ記憶部に保存する録画処理を実行する放送コンテンツ記録制御部と、
通信コンテンツ記憶部と、
前記放送コンテンツ記憶部に保存された前記通信コンテンツアクセス情報に基づいて、前記通信コンテンツを通信ネットワークからダウンロードして前記通信コンテンツ記憶部に保存する通信コンテンツ取得制御部と、
前記放送コンテンツ記憶部に保存された前記放送コンテンツを再生するときに、前記通信コンテンツ記憶部に保存された前記通信コンテンツを読み出し、前記放送コンテンツと同期をとって出力装置に出力する再生処理を実行するコンテンツ再生部と、
を具備することを特徴とするコンテンツ録画・再生装置。
【請求項２】
前記コンテンツ再生部は、一覧表示指示に応じて、前記放送コンテンツ記憶部に保存された前記放送コンテンツに関連する通信コンテンツのダウンロード勧告を前記出力装置に出力し、
前記通信コンテンツ取得制御部は、前記ダウンロード勧告によりユーザに指定された前記放送コンテンツに関連する前記通信コンテンツを前記通信ネットワークからダウンロードして前記通信コンテンツ記憶部に保存する、
ことを特徴とする請求項１に記載のコンテンツ録画・再生装置。
【請求項３】
前記放送コンテンツ記録制御部は、前記録画処理を実行しているときに、前記通信コンテンツアクセス情報に基づいて前記通信コンテンツを前記通信ネットワークから取得し、前記通信コンテンツと前記放送コンテンツとの同期提示の可否を判定し、
前記通信コンテンツ取得制御部は、前記通信コンテンツと前記放送コンテンツとの同期提示が不可である場合に、前記通信コンテンツを前記通信コンテンツ記憶部に保存する、
ことを特徴とする請求項１又は２に記載のコンテンツ録画・再生装置。
【請求項４】
前記放送信号に含まれる前記放送コンテンツを前記出力装置に出力し、前記放送コンテンツに連携する前記通信コンテンツが存在する場合に、録画指示を前記放送コンテンツ記録制御部に出力する視聴制御部、
を更に具備し、
前記放送コンテンツ記録制御部は、前記録画指示に応じて前記録画処理を実行する、
ことを特徴とする請求項１又は２に記載のコンテンツ録画・再生装置。
【請求項５】
前記通信コンテンツ取得制御部は、前記放送コンテンツ記録制御部が前記録画処理を実行しているときに、前記通信コンテンツを前記通信ネットワークからダウンロードして前記通信コンテンツ記憶部に保存すると共に、前記通信コンテンツと前記放送コンテンツとの同期提示が可能となるまでの同期待ち時間を算出し、
前記放送コンテンツ記録制御部は、前記同期待ち時間が経過した後に、再生指示を前記コンテンツ再生部に出力し、
前記コンテンツ再生部は、前記再生指示に応じて前記再生処理を実行する、
ことを特徴とする請求項４に記載のコンテンツ録画・再生装置。
【発明の詳細な説明】
【技術分野】
【０００１】
本発明は、放送通信連携サービスをユーザに提供するデジタル放送受信機に適用されるコンテンツ録画・再生装置に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システムが策定されている。放送通信連携システムでは、デジタル放送受信機は、放送信号を放送波により受信して放送コンテンツを取得すると共に、ネットワーク経由で通信コンテンツを取得して、放送コンテンツと通信コンテンツとを同期再生する。放送信号は、ＡＲＩＢ（登録商標）（Association of Radio Industries and Broadcast：社団法人電波産業会）標準規格で規定される（例えば非特許文献１）。非特許文献１では、放送と通信とを連携するための規格が策定されている。
【先行技術文献】
【非特許文献】
【０００３】
【非特許文献１】ＡＲＩＢ  ＳＴＤ−Ｂ２４  ５．７版  第四編のアプリケーション制御方式
【非特許文献２】デジタルテレビ  ネットワーク機能仕様  ストリーミング機能仕様書  ブラウザ編（http://nw-dtv.jp/documents/index.html）
【非特許文献３】ＡＲＩＢ  ＳＴＤ−Ｂ３８  ３．２．４．２  番組ロケーション
【発明の概要】
【発明が解決しようとする課題】
【０００４】
しかし、通信コンテンツは、公共ネットワークなど伝送速度が保証されないネットワークを利用して取得される場合もある。この場合、ネットワークの輻輳等によって伝送遅延が発生すると、放送信号で指定された提示タイミングまでに通信コンテンツの取得が完了せず、ユーザが視聴する時に放送コンテンツと同期した通信コンテンツの提示ができない可能性がある。特に、生放送コンテンツなど、映像・音声が作成されてから直ちに放送されるような場合には、同期する通信コンテンツを放送コンテンツに先行して配信することができないため、この問題が顕著になる。
【０００５】
本発明は、上記の点に鑑みてなされたものであり、デジタル放送受信機において通信の伝送遅延がある場合でも、ユーザの視聴時に放送コンテンツと通信コンテンツとを同期して出力することができるコンテンツ録画・再生装置を提供することを目的とする。
【課題を解決するための手段】
【０００６】
本発明のコンテンツ録画・再生装置は、放送コンテンツと、前記放送コンテンツと連携する通信コンテンツをダウンロードするための通信コンテンツアクセス情報とを含む放送信号を放送波により受信する放送波受信部と、放送コンテンツ記憶部と、前記放送信号に含まれる前記放送コンテンツと前記通信コンテンツアクセス情報とを前記放送コンテンツ記憶部に保存する録画処理を実行する放送コンテンツ記録制御部と、通信コンテンツ記憶部と、前記放送コンテンツ記憶部に保存された前記通信コンテンツアクセス情報に基づいて、前記通信コンテンツを通信ネットワークからダウンロードして前記通信コンテンツ記憶部に保存する通信コンテンツ取得制御部と、前記放送コンテンツ記憶部に保存された前記放送コンテンツを再生するときに、前記通信コンテンツ記憶部に保存された前記通信コンテンツを読み出し、前記放送コンテンツと同期をとって出力装置に出力する再生処理を実行するコンテンツ再生部と、を具備することを特徴とする。
【０００７】
本発明のコンピュータプログラムは、放送コンテンツと、前記放送コンテンツと連携する通信コンテンツをダウンロードするための通信コンテンツアクセス情報とを含む放送信号を放送波により受信するステップと、前記放送信号に含まれる前記放送コンテンツと前記通信コンテンツアクセス情報とを放送コンテンツ記憶部に保存する録画処理を実行するステップと、前記放送コンテンツ記憶部に保存された前記通信コンテンツアクセス情報に基づいて、前記通信コンテンツを通信ネットワークからダウンロードして通信コンテンツ記憶部に保存するステップと、前記放送コンテンツ記憶部に保存された前記放送コンテンツを再生するときに、前記通信コンテンツ記憶部に保存された前記通信コンテンツを読み出し、前記放送コンテンツと同期をとって出力装置に出力する再生処理を実行するステップとの各ステップをコンピュータに実行させることを特徴とする。
【発明の効果】
【０００８】
本発明によれば、デジタル放送受信機において通信の伝送遅延がある場合でも、ユーザの視聴時に放送コンテンツと通信コンテンツとを同期して出力することができる。
【図面の簡単な説明】
【０００９】
【図１】本発明のコンテンツ録画・再生装置６が適用される放送通信連携システムの構成を示す概略ブロック図である。
【図２】本発明のコンテンツ録画・再生装置６の構成を示す概略ブロック図である（第１実施形態）。
【図３】録画処理を示すフローチャートである（第１実施形態）。
【図４】ダウンロード予約リスト２０を示す図である（第１実施形態）。
【図５】通信コンテンツダウンロード処理を示すフローチャートである（第１実施形態）。
【図６】録画コンテンツ再生処理を示すフローチャートである（第１実施形態）。
【図７】録画コンテンツ一覧表示画面３０を示す図である（第２実施形態）。
【図８】通信コンテンツダウンロード勧告表示処理を示すフローチャートである（第２実施形態）。
【図９】録画処理を示すフローチャートである（第３実施形態）。
【図１０】本発明のコンテンツ録画・再生装置６の構成を示す概略ブロック図である（第４実施形態）。
【図１１】視聴制御処理を示すフローチャートである（第４実施形態）。
【図１２】本発明のコンテンツ録画・再生装置６の構成を示す概略ブロック図である（第５実施形態）。
【図１３】追っかけ再生処理を示すフローチャートである（第５実施形態）。
【図１４】通信コンテンツダウンロード処理のＳ１１０４内の処理を示すフローチャートである（第５実施形態）。
【図１５】同期待ち時間履歴テーブル２３を示す（第５実施形態）。
【発明を実施するための形態】
【００１０】
以下、図面を参照しながら本発明の実施形態について説明する。
【００１１】
図１は、本発明のコンテンツ録画・再生装置６が適用される放送通信連携システムの構成を示す概略ブロック図である。放送通信連携システムは、放送局が放送波により放送コンテンツを提供するための放送局サーバ１と、サービス事業者がインターネット等の通信ネットワーク４を介して通信コンテンツを提供するためのコンテンツサーバ２と、サービス事業者が通信ネットワーク４を介して放送コンテンツのメタデータを提供するためのメタデータサーバ３と、利用者に利用されるデジタル放送受信機５と、を具備している。
【００１２】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送設備によって、放送コンテンツや通信コンテンツアクセス情報等を多重化した放送信号を生成する。放送局サーバ１は、放送設備によって、その放送信号を放送波に変調し、放送用アンテナを介して放送波を送信する。
【００１３】
放送信号は、ＡＲＩＢ標準規格で規定される。デジタル放送によって提供される映像、音声等の各種データは、国際標準規格ISO（International Organization for Standardization）/IEC(International Electrotechnical Commission) 13818-1で規定されるＴＳパケット（トランスポートストリームパケット）に格納されて、時分割で多重伝送される。ＴＳパケットには、セクションに対してＰＳＩ（Program Specific Information）／ＳＩ（Service Information）が規定されている。ＰＳＩ／ＳＩには、ＴＳパケットに格納されているデータの種別を示す情報や、コンテンツの種別を示す情報が含まれている。ＴＳパケットによるデータ伝送は、セクションを用いてデータを伝送する方式と、ＰＥＳ（Packetized Elementary Stream）パケットを用いてデータを伝送する方式（データストリーム伝送方式）と、に分類される。セクションを用いてデータを伝送する方式としては、データカルーセル伝送方式とイベントメッセージ伝送方式とが挙げられる。
【００１４】
通信コンテンツアクセス情報は、放送コンテンツと連携する通信コンテンツをコンテンツサーバ２からダウンロードするための情報である。
【００１５】
コンテンツサーバ２は、放送局サーバ１の設備と通信可能に接続され、放送コンテンツと連携する通信コンテンツを配信するコンピュータである。コンテンツサーバ２は、コンピュータが実行可能なコンピュータプログラムが格納された記憶装置（図示しない）と、そのコンピュータプログラムを読み出して実行するＣＰＵ（図示しない）と、を具備している。コンテンツサーバ２は、デジタル放送受信機５からの取得要求に応じて、通信コンテンツを、通信ネットワーク４を介してデジタル放送受信機５に配信する。
【００１６】
メタデータサーバ３は、放送局サーバ１が配信する放送コンテンツのメタデータを配信するコンピュータである。メタデータサーバ３は、コンピュータが実行可能なコンピュータプログラムが格納された記憶装置（図示しない）と、そのコンピュータプログラムを読み出して実行するＣＰＵ（図示しない）と、を具備している。メタデータサーバ３は、デジタル放送受信機５からの取得要求に応じて、放送コンテンツのメタデータを、通信ネットワーク４を介してデジタル放送受信機５に配信する。
【００１７】
デジタル放送受信機５は、本発明のコンテンツ録画・再生装置６と、出力装置７と、を具備している。出力装置７は、図示しない音声制御部、表示制御部、スピーカ、表示部を備えている。音声制御部は、コンテンツ録画・再生装置６からの音声信号を、表示制御部により表示制御される映像信号と同期をとりながらスピーカに出力する。表示制御部は、コンテンツ録画・再生装置６からの映像信号を、音声制御部により出力制御される音声信号と同期をとりながら表示部に表示する。
【００１８】
放送通信連携システムでは、上述の放送コンテンツと通信コンテンツとを連携させてデジタル放送受信機５に提供する。放送通信連携システムが提供するサービスとしては、マルチビューサービスや多言語音声サービスなどが挙げられる。
【００１９】
マルチビューサービスとは、複数視点からのカメラ映像を配信するサービスである。例えば、カメラ１０１がメインの視点として配置され、カメラ１０２が他の視点として配置される。放送局サーバ１は、そのカメラ１０１により撮影された映像を映像データ１１１として受け取り、その映像データ１１１を放送コンテンツとして放送波によって配信する。コンテンツサーバ２は、カメラ１０１と同時刻にカメラ１０２により撮影された映像を映像データ１１２として受け取り、その映像データ１１２を通信コンテンツとして通信ネットワーク４によって配信する。それらの映像データ１１１、１１２は同じ時系列で再生される必要がある。デジタル放送受信機５のコンテンツ録画・再生装置６は、放送コンテンツ及び通信コンテンツを受信することによってそれぞれ映像データ１１１、１１２を取得し、それぞれ映像データ１１１、１１２の提示指定時刻を参照し、同期をとって出力装置７に出力する。提示の仕方は、映像データ１１１に対して映像データ１１２を縮小して重畳表示してもよいし、あるいはそれぞれ映像データ１１１、１１２は全画面表示としてユーザの操作で視点を切り替えられるようにしてもよい。
【００２０】
多言語音声サービスとは、映像と同期する複数の音声を配信するサービスである。例えば、放送局サーバ１は日本語と英語の音声データを放送コンテンツとして放送波によって配信する。コンテンツサーバ２は他の言語の音声を通信コンテンツとして通信ネットワーク４によって配信する。デジタル放送受信機５のコンテンツ録画・再生装置６は、ユーザが選択した言語に応じて、放送コンテンツ及び通信コンテンツを受信することによって音声データを取得し、放送データの映像と同期して出力装置７に出力する。
【００２１】
［第１実施形態］
本発明の第１実施形態に係るコンテンツ録画・再生装置６では、放送コンテンツを録画し、録画完了後にタイマを設定しておく。そこで、タイマの設定時間が経過すると（設定時間が０に設定されている場合は即実行）、録画された放送コンテンツに関連する通信コンテンツアクセス情報に基づいて、その放送コンテンツに関連する通信コンテンツをダウンロードして保存する。そして、放送コンテンツの再生時に、保存した通信コンテンツを読み出し、放送コンテンツと同期をとって出力する。
【００２２】
（構成）
図２は、コンテンツ録画・再生装置６の構成を示す概略ブロック図である。そのコンテンツ録画・再生装置６は、チューナ部（放送波受信部）１１、デマルチプレクサ部１２、放送コンテンツ記録制御部１３、放送コンテンツ記憶部１４、コンテンツ再生部１５、メタデータ記憶部１６、通信部１７、メタデータ取得部１８、通信コンテンツ取得制御部１９、ダウンロード予約リスト２０、通信コンテンツ記憶部２１、これらを制御するＣＰＵ（図示しない）を備えている。コンテンツ録画・再生装置６は、更に、コンピュータが実行可能なコンピュータプログラムが格納された記憶装置（図示しない）を備え、ＣＰＵは、そのコンピュータプログラムを読み出して実行する。
【００２３】
チューナ部１１は、放送局サーバ１から放送波により放送された放送信号を受信し、復調処理、復号処理を行ってデマルチプレクサ部１２にストリーム信号（MPEG2 Transport Streamなど)を出力する。デマルチプレクサ部１２は、ストリーム信号から放送コンテンツのパケットを抽出し（ＴＳパケット、あるいはＰＥＳパケットやセクション、通信コンテンツアクセス情報のパケット）、パケット信号として放送コンテンツ記録制御部１３へ出力する。また、デマルチプレクサ部１２は、ストリーム信号から放送コンテンツのメタデータを分離し、メタデータ記憶部１６に保存する。
【００２４】
通信部１７は、通信ネットワーク４を介してコンテンツサーバ２、メタデータサーバ３にアクセスし、データのダウンロードを行なう。メタデータ取得部１８は、メタデータ記憶部１６、もしくは、メタデータサーバ３から通信部１７を介して、放送コンテンツのメタデータを取得する。
【００２５】
放送コンテンツ記録制御部１３は、ユーザによる録画指示に基づいて、放送コンテンツの録画の開始・終了を行なう。この場合、デマルチプレクサ部１２からのパケット信号をパケット情報４０として放送コンテンツ記憶部１４に保存する。また、放送コンテンツ記録制御部１３は、放送コンテンツの録画完了時に、通信コンテンツ取得制御部１９へ通信コンテンツダウンロード予約要求信号４１を出力する（後述の録画処理）。
【００２６】
通信コンテンツ取得制御部１９は、放送コンテンツ記録制御部１３からの通信コンテンツダウンロード予約要求信号４１を受け、設定時間経過後に通信コンテンツダウンロード処理を開始するようにタイマをセットする。設定時間は、固定としてもよいし、ユーザにより任意に設定されるようにしてもよい。タイマの設定時間が０（例えば単位は［分］）である場合は、録画完了後に直ちに通信コンテンツの取得が開始される。通信コンテンツ取得制御部１９は、放送コンテンツ記憶部１４に保存されたパケット情報４０から通信コンテンツアクセス情報４２を読み取り、通信コンテンツをダウンロードするために必要な情報を、後述のダウンロード予約リスト項目情報４３としてダウンロード予約リスト２０に登録する。そして、ダウンロード予約リスト項目情報４３に基づいて、コンテンツサーバ２から通信部１７を介して、通信コンテンツのダウンロードを行ない、通信コンテンツ記憶部２１に保存する（後述の通信コンテンツダウンロード処理）。
【００２７】
コンテンツ再生部１５は、ユーザによる再生指示に基づいて、放送コンテンツ記憶部１４に保存されたパケット情報４０から放送コンテンツの映像データ及び音声データを復号し、それぞれ映像信号及び音声信号として出力装置７に出力する。また、コンテンツ再生部１５は、放送コンテンツ記憶部１４に保存されたパケット情報４０から通信コンテンツアクセス情報４２を読み取り、その通信コンテンツアクセス情報４２に基づいて、ダウンロード予約リスト２０に保存されたダウンロード予約リスト項目情報４３を読み取る。コンテンツ再生部１５は、通信コンテンツ記憶部２１からダウンロード予約リスト項目情報４３に対応する通信コンテンツを読み込んで、その通信コンテンツの映像データ及び音声データを復号し、それぞれ映像信号及び音声信号として放送コンテンツの指定するタイミングで出力装置７に出力する（後述の放送コンテンツ再生処理）。
【００２８】
（動作）
図３は、録画処理を示すフローチャートである。
【００２９】
まず、放送コンテンツ記録制御部１３は、ユーザによる録画指示に基づいて、放送コンテンツの録画を開始する（Ｓ１００１）。この場合、パケット信号に含まれるパケット情報４０を放送コンテンツ記憶部１４に保存する。次に、放送コンテンツ記録制御部１３は、放送コンテンツの録画が終了したときに（Ｓ１００２）に、通信コンテンツ取得制御部１９へ通信コンテンツダウンロード予約要求信号４１を出力する通信コンテンツダウンロード予約処理を行なう（Ｓ１００３）。
【００３０】
図４は、ダウンロード予約リスト２０を示す図である。図５は、通信コンテンツダウンロード処理を示すフローチャートである。
【００３１】
通信コンテンツ取得制御部１９は、放送コンテンツ記録制御部１３からの通信コンテンツダウンロード予約要求信号４１を受け、設定時間経過後に、放送コンテンツ記憶部１４に保存されたパケット情報４０から放送コンテンツのパケットを１パケット読込む（Ｓ１１０１）。通信コンテンツ取得制御部１９は、そのパケットに通信コンテンツアクセス情報４２が含まれているか否かを確認する（Ｓ１１０２）。
【００３２】
通信コンテンツアクセス情報４２は、通信コンテンツの識別子、およびコンテンツロケーション情報（ＵＲＬなど）を含む。通信コンテンツアクセス情報４２としては、例えばコンテンツをＨＴＭＬベースのアプリケーションとした場合、非特許文献１に示されるアプリケーション識別子や伝送プロトコル記述子などが挙げられる。
【００３３】
パケットに通信コンテンツアクセス情報４２が含まれていない場合（Ｓ１１０２−Ｎｏ）、通信コンテンツ取得制御部１９は後述のＳ１１０６を実行する。パケットに通信コンテンツアクセス情報４２が含まれている場合（Ｓ１１０２−Ｙｅｓ）、通信コンテンツ取得制御部１９は、その通信コンテンツアクセス情報４２に基づいて、通信コンテンツをダウンロードするために必要な情報をダウンロード予約リスト項目情報４３としてダウンロード予約リスト２０に登録する（Ｓ１１０３）。
【００３４】
図４に示されるように、ダウンロード予約リスト２０は、ダウンロード予約リスト項目情報４３と、コンテンツポインタとを関連づけたテーブルである。ダウンロード予約リスト項目情報４３は、番組ＩＤ、コンテンツＩＤ、コンテンツロケーション情報を含む。番組ＩＤは、放送コンテンツを識別するためのＩＤである。コンテンツＩＤは、通信コンテンツを識別するためのＩＤ（上述の通信コンテンツの識別子）であり、放送コンテンツに含まれる通信コンテンツアクセス情報４２より抽出される。コンテンツロケーション情報は、通信コンテンツの場所を示し、ＵＲＬなどが格納される情報であり、放送コンテンツに含まれる通信コンテンツアクセス情報４２より抽出される。コンテンツポインタは、通信コンテンツがダウンロードされたときのデジタル放送受信機５側での格納場所を示し、ファイルパスなどが例示される。
【００３５】
通信コンテンツ取得制御部１９は、ダウンロード予約リスト項目情報４３に基づいて、コンテンツサーバ２から通信部１７を介して、通信コンテンツのダウンロードを行ない、通信コンテンツ記憶部２１に保存する（Ｓ１１０４）。通信コンテンツ取得制御部１９は、ダウンロード予約リスト２０にコンテンツポインタを書き込む（Ｓ１１０５）。通信コンテンツ取得制御部１９は、パケットの読込みが放送コンテンツの終端まで到達していない場合（Ｓ１１０６−Ｎｏ）はＳ１１０１を実行し、パケットの読込みが放送コンテンツの終端まで到達した場合（Ｓ１１０６−Ｙｅｓ）は通信コンテンツダウンロード処理を終了する。
【００３６】
図６は、放送コンテンツ再生処理を示すフローチャートである。
【００３７】
コンテンツ再生部１５は、ユーザによる再生指示に基づいて、放送コンテンツの再生を開始する（Ｓ１２０１）。この場合、コンテンツ再生部１５は、放送コンテンツ記憶部１４に保存されたパケット情報４０から放送コンテンツの映像データ及び音声データを復号し、それぞれ映像信号及び音声信号として出力装置７に出力する。ここで、コンテンツ再生部１５は、パケットの読込みが放送コンテンツの終端まで到達していない場合（Ｓ１２０２−Ｎｏ）、次のパケットを読込み、そのパケットに通信コンテンツアクセス情報４２が含まれているか否かを確認する（Ｓ１２０４）。
【００３８】
パケットに通信コンテンツアクセス情報４２が含まれている場合（Ｓ１２０４−Ｙｅｓ）、コンテンツ再生部１５は、その通信コンテンツアクセス情報４２からコンテンツＩＤを読込む（Ｓ１２０５）。コンテンツ再生部１５は、そのコンテンツＩＤに基づいて、ダウンロード予約リスト２０に保存されたダウンロード予約リスト項目情報４３及びコンテンツポインタを読み取り、通信コンテンツ記憶部２１からダウンロード予約リスト項目情報４３に対応する通信コンテンツを特定して読込む（Ｓ１２０６）。コンテンツ再生部１５は、その通信コンテンツの映像データ及び音声データを復号し、それぞれ映像信号及び音声信号として放送コンテンツの指定するタイミングで出力装置７に出力する（Ｓ１２０７）。コンテンツ再生部１５は、再度Ｓ１２０２を実行する。
【００３９】
ここで、コンテンツ再生部１５は、パケットの読込みが放送コンテンツの終端まで到達していない場合（Ｓ１２０２−Ｎｏ）、次のパケットを読込み、そのパケットに通信コンテンツアクセス情報４２が含まれているか否かを確認する（Ｓ１２０４）。パケットに通信コンテンツアクセス情報４２が含まれている場合（Ｓ１２０４−Ｙｅｓ）、コンテンツ再生部１５は、上述のＳ１２０３〜Ｓ１２０７、及び、Ｓ１２０２を実行する。パケットに通信コンテンツアクセス情報４２が含まれていない場合（Ｓ１２０４−Ｎｏ）、コンテンツ再生部１５は、その他のパケット処理を行ない、映像・音声出力を出力装置７に対して行なう。ここで、コンテンツ再生部１５は、パケットの読込みが放送コンテンツの終端まで到達していた場合（Ｓ１２０２−Ｙｅｓ）、放送コンテンツ再生処理を終了する。
【００４０】
以上の説明により、本発明の第１実施形態に係るコンテンツ録画・再生装置６は、録画した放送コンテンツに基づいて通信コンテンツをダウンロードするので、ユーザが放送コンテンツを視聴する以前に通信コンテンツをダウンロードすることができ、通信の伝送遅延がある場合でも、ユーザの視聴時に放送コンテンツと通信コンテンツとを同期して出力することができる。
【００４１】
［第２実施形態］
本発明の第２実施形態に係るコンテンツ録画・再生装置６では、放送コンテンツ一覧表示画面において、放送通信連携システムが提供する放送コンテンツであれば、その放送コンテンツについて、関連する通信コンテンツのダウンロード勧告を表示する（アイコンなどで）。そこで、ユーザがダウンロード勧告のコンテンツを選択すると、通信コンテンツアクセス情報４２に基づいて通信コンテンツのダウンロードを行なう。そして、放送コンテンツの再生時に、保存した通信コンテンツを読み出し、放送コンテンツと同期をとって出力する。第２実施形態では、第１実施形態からの変更点のみ説明する。
【００４２】
（構成）
図７は、コンテンツ再生部１５が提示する放送コンテンツ一覧表示画面３０を示す図である。コンテンツ再生部１５は、ユーザによる一覧表示指示に基づいて、放送コンテンツ一覧表示画面３０を出力する。例えば、録画された放送コンテンツが３つある場合、放送コンテンツ一覧表示画面３０には、３つの放送コンテンツのサムネイル画像３１〜３３が表示される。コンテンツ再生部１５は、放送コンテンツ一覧表示画面３０に表示された放送コンテンツのうちの、後述の条件を満たしている放送コンテンツに対して、関連する通信コンテンツのダウンロード勧告の表示を行なう（後述の通信コンテンツダウンロード勧告表示処理）。例えば、サムネイル画像３３が表す放送コンテンツが、後述の条件を満たしている場合、ダウンロード勧告表示アイコン３４がサムネイル画像３３上に表示される。ユーザがダウンロード勧告表示アイコン３４によりサムネイル画像３３が表す放送コンテンツを選択（指定）した場合、コンテンツ再生部１５は、ユーザ指示ダウンロード要求信号を通信コンテンツ取得制御部１９に出力する。
【００４３】
通信コンテンツ取得制御部１９は、放送コンテンツ記録制御部１３からの通信コンテンツダウンロード予約要求信号４１を受け、コンテンツ再生部１５からのユーザ指示ダウンロード要求信号を受けた場合に、通信コンテンツダウンロード処理を行なう。即ち、ユーザに指定された放送コンテンツに関連する通信コンテンツをダウンロードして通信コンテンツ記憶部２１に保存する。
【００４４】
（動作）
図８は、通信コンテンツダウンロード勧告表示処理を示すフローチャートである。
【００４５】
コンテンツ再生部１５は、ユーザによる一覧表示指示に基づいて、放送コンテンツ一覧表示画面３０を出力する（Ｓ２００１）。コンテンツ再生部１５は、放送コンテンツ一覧表示画面３０に表示された放送コンテンツのうちの１つの放送コンテンツに注目する（Ｓ２００２）。コンテンツ再生部１５は、その注目する放送コンテンツに対して、ダウンロード勧告表示判定を行なう（Ｓ２００３）。
【００４６】
ダウンロード勧告表示判定では、第１、２の条件を満たしているか否かを判定する。第１条件として、録画された放送コンテンツが、通信コンテンツアクセス情報４２を含んでいる。第２条件として、通信コンテンツがダウンロードされていない。例えばダウンロード予約リスト２０のコンテンツポインタが、ＮＵＬＬであるコンテンツを含む番組である。
【００４７】
ダウンロード勧告表示判定では、第１、２の条件を満たしている場合、さらに、第３、４の条件の任意の組み合わせを満たしているか否かを判定してもよい。第３の条件は、通信コンテンツが動画コンテンツ、もしくは音声コンテンツであり、さらにコンテンツ再生に必要なビットレートが所定の値を上回ることである。第４条件は、通信機能が利用可能なことである。
【００４８】
コンテンツ再生部１５は、ダウンロード勧告表示判定において上述の条件を満たしている放送コンテンツに対して、関連する通信コンテンツのダウンロード勧告の表示を行なう（Ｓ２００４）。コンテンツ再生部１５は、放送コンテンツ一覧表示画面３０に表示された放送コンテンツの全てに対してダウンロード勧告表示判定を行なっていない場合はＳ２００２を実行し、上記全ての放送コンテンツに対してダウンロード勧告表示判定を行なった場合は通信コンテンツダウンロード勧告表示処理を終了する。
【００４９】
以上の説明により、本発明の第２実施形態に係るコンテンツ録画・再生装置６は、録画した放送コンテンツに基づいて通信コンテンツをダウンロードするので、ユーザが放送コンテンツを視聴する以前に通信コンテンツをダウンロードすることができ、通信の伝送遅延がある場合でも、ユーザの視聴時に放送コンテンツと通信コンテンツとを同期して出力することができる。さらに、ユーザがコンテンツの視聴前に、通信コンテンツのダウンロードの必要性を認知し、ダウロードを行なうことができる。また、ユーザが意図して選択したコンテンツのみをダウンロードすることもできるため、記憶領域の節約になる。
【００５０】
［第３実施形態］
本発明の第３実施形態に係るコンテンツ録画・再生装置６では、放送コンテンツの録画中に、通信コンテンツを取得して放送コンテンツとの同期可否判定を行ない、放送コンテンツとの同期不可と判定した場合にその通信コンテンツをチェックする。録画完了後にチェックした通信コンテンツがあれば、その通信コンテンツを保存する（放送コンテンツの録画中に擬似的に放送コンテンツと通信コンテンツとの同期提示処理を行ない、放送コンテンツの録画後に通信コンテンツをダウンロードして保存するかどうかの判定を行なう）。第３実施形態では、第１、２実施形態からの変更点のみ説明する。
【００５１】
（構成）
放送コンテンツ記録制御部１３は、ユーザによる録画指示に基づいて、放送コンテンツの録画の開始・終了を行なう。この場合、放送コンテンツの録画中に、パケット信号に含まれるパケット情報４０が通信コンテンツアクセス情報４２を含む場合は、通信コンテンツアクセス情報４２に従って、通信コンテンツ取得制御部１９、通信部１７を介してコンテンツサーバ２から通信コンテンツの取得を行なう。即ち、通信コンテンツをダウンロードする。取得した通信コンテンツが、放送コンテンツとの同期提示が不可であると判定した場合は、通信コンテンツアクセス情報４２の番組ＩＤ、コンテンツＩＤ、コンテンツロケーション情報をダウンロード予約リスト項目情報４３としてダウンロード予約リスト２０へ書き込む。放送コンテンツ記録制御部１３は、放送コンテンツの録画完了時に、通信コンテンツ取得制御部１９へ通信コンテンツダウンロード予約要求信号４１を出力する（後述の録画処理）。
【００５２】
通信コンテンツ取得制御部１９は、放送コンテンツ記録制御部１３からの通信コンテンツダウンロード予約要求信号４１を受け、前述の通信コンテンツダウンロード処理を行なう。即ち、放送コンテンツ記録制御部１３によって、ダウンロード予約リスト２０にダウンロード予約リスト項目情報４３（番組ＩＤ、コンテンツＩＤ、コンテンツロケーション情報）が書き込まれているので、これに基づいて、通信コンテンツのダウンロードを実施し、ダウンロードしたコンテンツの格納場所を、ダウンロード予約リスト２０のコンテンツポインタのフィールドに書き込む。
【００５３】
（動作）
図９は、録画処理を示すフローチャートである。
【００５４】
まず、放送コンテンツ記録制御部１３は、ユーザによる録画指示に基づいて、放送コンテンツの録画を開始する（Ｓ４００１）。この場合、パケット信号に含まれるパケット情報４０を放送コンテンツ記憶部１４に保存する。次に、放送コンテンツ記録制御部１３は、放送コンテンツの録画が終了していない場合（Ｓ４００２−Ｎｏ）、パケット信号に含まれるパケット情報４０から通信コンテンツアクセス情報４２を検知する（Ｓ４００３）。放送コンテンツ記録制御部１３は、その通信コンテンツアクセス情報４２に従って、通信コンテンツ取得制御部１９、通信部１７を介してコンテンツサーバ２から通信コンテンツの取得を行なう（Ｓ４００４）。ここで、放送コンテンツ記録制御部１３は、取得した通信コンテンツが、放送コンテンツとの同期提示が可能であるか否かを判定する（Ｓ４００５）。
【００５５】
取得した通信コンテンツと、放送コンテンツとの同期提示が可能であるか否かの判定は、例えば次のように行なう。
【００５６】
まず、放送コンテンツ記録制御部１３は、通信コンテンツアクセス情報４２で示される通信コンテンツがストリーミングコンテンツか否かを判定する。否である場合は対象外なので、放送コンテンツ記録制御部１３は、取得した通信コンテンツが、放送コンテンツとの同期提示が可能である（Ｓ４００５−Ｙｅｓ）と判定する。通信コンテンツがストリーミングコンテンツであるか否かの判定は、例えば、非特許文献２のドキュメント３．３、３．４に示されるように、コンテンツの再生制御メタファイルへのリンクへのｈｒｅｆ記述が、定められたフォーマットになっており、かつＨＴＴＰサーバのレスポンスに含まれるＣｏｎｔｅｎｔＴｙｐｅフィールドの値が、再生制御メタファイルのＭＩＭＥタイプと一致する場合にストリーミングコンテンツとみなす。通信コンテンツがストリーミングコンテンツである場合、再生制御メタファイルに基づいてコンテンツのストリーミングダウンロードを行ない、通信コンテンツのパケットを順次受信する。
【００５７】
パケットに含まれるＰＴＳあるいはＤＴＳで示される時刻が、デジタル放送受信機５側のＳＴＣで示されるシステム時刻よりも時間的に前の場合に、そのパケットを同期失敗とみなす。この同期失敗となったパケットが所定の割合以上となった場合に、同期不可とみなす。即ち、放送コンテンツ記録制御部１３は、取得した通信コンテンツが、放送コンテンツとの同期提示が可能ではない場合（Ｓ４００５−Ｎｏ）と判定する。
【００５８】
上述のような判定の結果、取得した通信コンテンツが、放送コンテンツとの同期提示が可能である場合（Ｓ４００５−Ｙｅｓ）、放送コンテンツ記録制御部１３は、再度Ｓ００２を実行する。取得した通信コンテンツが、放送コンテンツとの同期提示が可能ではない場合（Ｓ４００５−Ｎｏ）、放送コンテンツ記録制御部１３は、通信コンテンツアクセス情報４２の番組ＩＤ、コンテンツＩＤ、コンテンツロケーション情報をダウンロード予約リスト項目情報４３としてダウンロード予約リスト２０へ書き込み（Ｓ４００６）、再度Ｓ４００２を実行する。放送コンテンツ記録制御部１３は、放送コンテンツの録画が終了した場合（Ｓ４００２−Ｙｅｓ）、通信コンテンツ取得制御部１９へ通信コンテンツダウンロード予約要求信号４１を出力する（Ｓ４００７）。
【００５９】
以上の説明により、本発明の第３実施形態に係るコンテンツ録画・再生装置６は、録画した放送コンテンツに基づいて通信コンテンツをダウンロードするので、ユーザが放送コンテンツを視聴する以前に通信コンテンツをダウンロードすることができ、通信の伝送遅延がある場合でも、ユーザの視聴時に放送コンテンツと通信コンテンツとを同期して出力することができる。また、伝送遅延によって同期した提示が不可となるコンテンツに限定してダウンロードを行なうため、記憶領域の節約になる。
【００６０】
［第４実施形態］
本発明の第４実施形態に係るコンテンツ録画・再生装置６では、放送コンテンツの視聴開始後に、その放送コンテンツと連携する通信コンテンツの有無を判定し、連携する通信コンテンツが有る（存在する）と判定した場合には、その放送コンテンツの録画を開始する。第４実施形態では、第１〜３実施形態からの変更点のみ説明する。
【００６１】
（構成）
図１０は、本発明の第４実施形態に係るコンテンツ録画・再生装置６の構成を示す概略ブロック図である。そのコンテンツ録画・再生装置６は、前述の構成に加えて、更に、視聴制御部２２を備えている。
【００６２】
視聴制御部２２は、ユーザによる視聴指示に基づいて、デマルチプレクサ部１２から出力されたパケット情報４０から放送コンテンツの映像データ及び音声データを復号し、それぞれ映像信号及び音声信号として出力装置７に出力する。この際、デマルチプレクサ部１２からのパケット情報４０に基づいて、放送コンテンツに連携する通信コンテンツが有ると判定した場合には、録画指示を放送コンテンツ記録制御部１３へ出力する（後述の視聴制御処理）。
【００６３】
放送コンテンツ記録制御部１３は、視聴制御部２２からの録画指示に基づいて、第３実施形態と同じ録画処理を実行する。
【００６４】
（動作）
図１１は、視聴制御処理を示すフローチャートである。
【００６５】
視聴制御部２２は、ユーザによる視聴指示に基づいて、パケット情報４０から放送コンテンツを出力装置７に出力すると共に、パケット情報４０に基づいて、放送コンテンツに連携する通信コンテンツの有無を判定する（Ｓ３００１）。放送コンテンツに連携する通信コンテンツの有無の判定は、例えば非特許文献１の「７．３  アプリケーション制御情報に関わるＰＭＴ記述」に従い、次のように行なう。
【００６６】
視聴制御部２２は、例えばデマルチプレクサ部１２を介してチューナ部１１から放送信号を入力し、放送信号から、視聴している番組のＰＭＴ(Program Map Table)を受信し、ＰＭＴ上にアプリケーション制御情報（Application Information Table：ＡＩＴ）を伝送するデータコンポーネントの識別情報が配置されている場合に、連携する通信コンテンツありと判定する。視聴制御部２２は、放送コンテンツに連携する通信コンテンツが有る場合（Ｓ３００１−Ｙｅｓ）は録画指示を放送コンテンツ記録制御部１３へ出力し（Ｓ３００２）、放送コンテンツに連携する通信コンテンツが無い場合（Ｓ３００１−Ｎｏ）は視聴制御処理を終了する。
【００６７】
なお、通信コンテンツ取得制御部１９は、録画した放送コンテンツのメタデータを参照し、録画した放送コンテンツが生放送番組である場合にのみ、通信コンテンツをダウンロードするようにしてもよい。このようにすることで、録画の必然性の高いコンテンツ、すなわち通信コンテンツが放送に先行して配信できない放送コンテンツに限定して録画を行なうので、記憶領域の節約となる。生放送判定に利用できるメタデータの例としては非特許文献３に示されるSchedule Event Type型に含まれるLiveフラグ（生放送であることを示すフラグ）がある。
【００６８】
以上の説明により、本発明の第４実施形態に係るコンテンツ録画・再生装置６は、録画した放送コンテンツに基づいて通信コンテンツをダウンロードするので、ユーザが放送コンテンツの再生指示を行なう以前に通信コンテンツをダウンロードすることができ、通信の伝送遅延がある場合でも、ユーザの視聴時に放送コンテンツと通信コンテンツとを同期して出力することができる。また、自動的に通信遅延の対応として必要な録画を行なうため、ユーザが意識して、録画、もしくは録画予約を行わなくてもよい。
【００６９】
［第５実施形態］
本発明の第５実施形態に係るコンテンツ録画・再生装置６では、放送コンテンツを受信して録画すると共に、放送コンテンツに含まれる通信コンテンツアクセス情報４２に基づいて通信コンテンツのダウンロードを行ない、放送コンテンツと通信コンテンツとの同期再生が可能となるまでの「同期待ち時間」が経過した後、録画した放送コンテンツを読込み、再生を開始する（すなわち、追っかけ再生をおこなう）。また、本発明の第５実施形態に係るコンテンツ録画・再生装置６では、録画した放送コンテンツを再生している状態で、通信コンテンツのダウンロードを行ない、放送コンテンツと通信コンテンツとの「同期再生が可能となる時間」を計算し、現在の適用値よりも大きい場合は更新する。更新があった場合は、一旦、放送コンテンツの再生を停止し、更新前後の差分時間の経過を待った後、放送コンテンツの再生を再開する。このとき、放送コンテンツと通信コンテンツとの同期提示のための時間待ちであることを示す画像を、出力してもよい。第５実施形態では、第１〜４実施形態からの変更点のみ説明する。
【００７０】
（構成）
図１２は、本発明の第５実施形態に係るコンテンツ録画・再生装置６の構成を示す概略ブロック図である。そのコンテンツ録画・再生装置６は、前述の構成に加えて、更に、同期待ち時間履歴テーブル２３を備えている。
【００７１】
放送コンテンツ記録制御部１３は、視聴制御部２２からの録画指示に基づいて、第３実施形態と同じ録画処理を実行する。また、放送コンテンツ記録制御部１３は、放送コンテンツと通信コンテンツとの同期再生が可能となるまでの「同期待ち時間」が経過した後、コンテンツ再生部１５に再生指示を出力する。また、放送コンテンツ記録制御部１３は、放送コンテンツの録画中に、通信コンテンツ取得制御部１９へ通信コンテンツダウンロード予約要求信号４１を出力する。
【００７２】
通信コンテンツ取得制御部１９は、放送コンテンツ記録制御部１３からの通信コンテンツダウンロード予約要求信号４１を受け、録画した放送コンテンツに基づいて通信コンテンツをダウンロードするとともに、同期待ち時間を算出して記録し、同期待ち時間履歴テーブル２３に登録する。
【００７３】
（動作）
図１３は、追っかけ再生処理を示すフローチャートである。
【００７４】
まず、放送コンテンツ記録制御部１３は、視聴制御部２２からの録画指示に基づいて、第３実施形態と同じ録画処理を実行する（Ｓ５００１）。この場合、放送コンテンツの録画中に、パケット信号に含まれるパケット情報４０が通信コンテンツアクセス情報４２を含む場合は、通信コンテンツアクセス情報４２に従って、通信コンテンツ取得制御部１９、通信部１７を介してコンテンツサーバ２から通信コンテンツの取得を行なう。次に、放送コンテンツ記録制御部１３は、現在、録画中（追っかけ再生中）の放送コンテンツに対して、通信コンテンツ取得制御部１９へ通信コンテンツダウンロード予約要求信号４１を出力することにより、通信コンテンツ取得制御部１９に前述の通信コンテンツダウンロード処理を実行させる（Ｓ５００２）。即ち、通信コンテンツダウンロード処理を並列に開始する。
【００７５】
次に、放送コンテンツ記録制御部１３は、「同期待ち時間初期値」の経過を待つ（Ｓ５００３）。次に、放送コンテンツ記録制御部１３は、「同期待ち時間初期値」が経過した後、コンテンツ再生部１５に再生指示を出力することにより、コンテンツ再生部１５に前述の放送コンテンツ再生処理を実行させる（Ｓ５００４）。
【００７６】
次に、放送コンテンツ記録制御部１３は、「同期待ち時間」の更新有無をチェックする（Ｓ５００５）。放送コンテンツ記録制御部１３は、「同期待ち時間」の更新が無い場合（Ｓ５００５−Ｎｏ）は後述のＳ５００９を実行する。「同期待ち時間」の更新が有る場合（Ｓ５００５−Ｙｅｓ）は、放送コンテンツ記録制御部１３は、放送コンテンツ(追っかけ再生コンテンツ）の再生を一時停止し（Ｓ５００６）、更新前後の「同期待ち時間」の差分時間の経過を待って（Ｓ５００７）、放送コンテンツの処理を再開する（Ｓ５００８）。ここで、放送コンテンツ記録制御部１３は、ユーザによる追っかけ再生停止指示が無い場合（Ｓ５００９−Ｎｏ）はＳ５００５を実行し、追っかけ再生停止指示が有った場合（Ｓ５００９−Ｙｅｓ）は追っかけ再生処理を終了する。
【００７７】
なお、Ｓ５００３の処理はオプションである。追っかけ再生における放送コンテンツ再生の前に、あらかじめ見込まれる遅延時間としての「同期待ち時間初期値」を待つことにより、追っかけ再生途中での放送コンテンツの一時停止の頻度、および、待ち時間を減らすことができ、ユーザの視聴の妨げを軽減すことができる。また、「同期待ち時間初期値」については、後述の同期待ち時間履歴テーブル２３において、現在録画中の番組の放送事業者の放送事業者ＩＤが一致するエントリのうち、アクセス時刻が最新のものとする（通信コンテンツアクセス情報４２は、放送によって送出されるため、放送を全て受信しないと、アクセスするサーバをすべて特定できない。このため放送事業者別の履歴によって、初期値を定める。）
【００７８】
図１４は、図５の通信コンテンツダウンロード処理のＳ１１０４内の処理を示すフローチャートである。図１５は、本発明の第５実施形態に係るコンテンツ録画・再生装置６の同期待ち時間履歴テーブル２３を示す。
【００７９】
通信コンテンツ取得制御部１９は、放送コンテンツ記録制御部１３からの通信コンテンツダウンロード予約要求信号４１を受け、コンテンツサーバ２とのセッションを開始し、録画した放送コンテンツに基づいて通信コンテンツをダウンロードする（Ｓ５１０１）。このとき、通信コンテンツの１ユニットの受信完了時刻を記録する（Ｓ５１０２）。ユニットとはコンテンツの提示単位を示す。例えば映像１フレーム分のデータである。例えば、コンテンツがISO/IEC 13818-1で規定されるTransport Streamである場合は、１PES パケットを１ユニットとする。指定ユニット処理時刻は、ユニットの提示時刻もしくは、ユニットのデコード開始時刻である。例えば、コンテンツがISO/IEC 13818-1で規定されるTransport Stream である場合は、ＰＥＳパケットのＰＴＳ（提示時刻）、もしくはＤＴＳ（デコード時刻）となる。
【００８０】
次に、通信コンテンツ取得制御部１９は、ダウンロード完了時刻が指定ユニット処理時刻よりも後ではない場合（Ｓ５１０３−Ｎｏ）は後述のＳ５１０８を実行し、ダウンロード完了時刻が指定ユニット処理時刻よりも後である場合（Ｓ５１０３−Ｙｅｓ）はダウンロード完了時刻とユニット処理時刻との差から、「同期待ち時間」Ｔｗを計算する（Ｓ５１０４）。同期待ち時間Ｔｗの計算式は、例えば次式で表される。Ｔｗ＝Ｔｄ−Ｔｐ＋Ｔｍ（Ｔｗ：同期待ち時間、Ｔｄ：ユニットのダウンロード完了時刻、Ｔｐ：指定ユニット処理時刻、Ｔｍ：マージン（デジタル放送受信機５に設定される固定値））
【００８１】
次に、通信コンテンツ取得制御部１９は、計算した同期待ち時間Ｔｗと、同期待ち時間履歴テーブル２３に登録された過去の同期待ち時間Ｔｗと比較し、同期待ち時間Ｔｗの更新判定を行なう（Ｓ５１０５）。図１５に示されるように、同期待ち時間履歴テーブル２３には、放送事業者ＩＤと、アクセス時刻と、同期待ち時間Ｔｗとが関連付けて登録されている。通信コンテンツ取得制御部１９は、同期待ち時間履歴テーブル２３に登録された同期待ち時間Ｔｗのうちの、放送事業者ＩＤが一致し、かつ、アクセス時刻が最新の同期待ち時間Ｔｗを選択し、計算した同期待ち時間Ｔｗと、選択した同期待ち時間Ｔｗとで比較し、その選択した同期待ち時間Ｔｗよりも大きい値であれば待ち時間の更新を行なう。
【００８２】
通信コンテンツ取得制御部１９は、同期待ち時間Ｔｗの更新が必要ではない場合（Ｓ５１０６−Ｎｏ）は後述のＳ５１０８）を実行し、同期待ち時間Ｔｗの更新が必要である場合（Ｓ５１０６−Ｙｅｓ）は同期待ち時間Ｔｗを更新し、そのときの放送事業者ＩＤとアクセス時刻と同期待ち時間Ｔｗとを関連付けて同期待ち時間履歴テーブル２３に登録する。通信コンテンツ取得制御部１９は、通信コンテンツの全データのダウンロードが完了していない場合（Ｓ５１０８−Ｎｏ）は再度Ｓ５１０２を実行し、通信コンテンツの全データのダウンロードが完了した場合（Ｓ５１０８−Ｙｅｓ）はコンテンツサーバ２とのセッションを終了する（Ｓ５１０９）。
【００８３】
以上の説明により、本発明の第５実施形態に係るコンテンツ録画・再生装置６は、録画した放送コンテンツに基づいて通信コンテンツをダウンロードするので、放送コンテンツの再生指示を行なう以前に通信コンテンツをダウンロードすることができ、通信の伝送遅延がある場合でも、ユーザの視聴時に放送コンテンツと通信コンテンツとを同期して出力することができる。また、放送コンテンツと通信コンテンツとの同期出力が可能となった後、直ちにコンテンツが出力され、ユーザが視聴することができる。
【００８４】
以上、この発明の実施形態について図面を参照して詳述してきたが、具体的な構成は実施形態に限られるものではなく、この発明の要旨を逸脱しない範囲の設計等も特許請求の範囲に含まれる。
【符号の説明】
【００８５】
４…通信ネットワーク、６…コンテンツ録画・再生装置、７…出力装置、１１…チューナ部、１２…デマルチプレクサ部、１３…放送コンテンツ記録制御部、１４…放送コンテンツ記憶部、１５…コンテンツ再生部、１９…通信コンテンツ取得制御部、２１…通信コンテンツ記憶部、２２…視聴制御部、４２…通信コンテンツアクセス情報
【図２】
2015026920.tif 000003
【図３】
2015026920.tif 000004
【図４】
2015026920.tif 000005
【図５】
2015026920.tif 000006
【図６】
2015026920.tif 000007
【図８】
2015026920.tif 000008
【図９】
2015026920.tif 000009
【図１０】
2015026920.tif 000010
【図１１】
2015026920.tif 000011
【図１２】
2015026920.tif 000012
【図１３】
2015026920.tif 000013
【図１４】
2015026920.tif 000014
【図１５】
2015026920.tif 000015
【図１】
2015026920.tif 000016
【図７】
2015026920.tif 000017